(57)【要約】【課題】電力量計の負荷側端子の間隔とその間隔を異にする接触子を有するサージアブソーバを前記電力量計に取付けることができるようにする。【解決手段】サージアブソーバ取付装置はサージアブソーバ１の対応する第１の接触子２Ａ、２Ｂ、２Ｃに接触するような間隔に配置された複数の電極３３ａ、３３ｂ、３３ｃと、電力量計の負荷側端子１４ａ、１４ｂ、１４ｃにそれぞれ接触するような間隔に配置された複数の第２の接触子２８Ａ、２８Ｂ、２８Ｃと、前記各電極と前記第２の接触子とをそれぞれ電気的に接続する複数の接続手段３５Ａ、３５Ｂ、３５Ｃと、前記サージアブソーバと連結する連結手段７とを備える。【選択図】  図１１
2005346935.tif 000002
【特許請求の範囲】
【請求項１】
電力量計の負荷側端子の間隔とその間隔を異にする第１の接触子を有するサージアブソーバを前記電力量計に取付けるサージアブソーバ取付装置であって、
前記サージアブソーバの対応する前記第１の接触子に接触するような間隔に配置された複数の電極と、前記電力量計の負荷側端子にそれぞれ接触するような間隔に配置された複数の第２の接触子と、前記各電極と前記第２の接触子とをそれぞれ電気的に接続する複数の接続手段と、前記サージアブソーバと本体ケース連結する連結手段とを備えたことを特徴とするサージアブソーバ取付装置。
【請求項２】
前記複数の電極は前記本体ケースに形成された凹部内に配置され、前記凹部に前記サージアブソーバの前記第１の接触子が嵌合されるよう構成したことを特徴とする請求項１記載のサージアブソーバ取付装置。
【請求項３】
前記連結手段にはサージアブソーバを単体で前記電力量計へ取付けるときの取付用螺子を用いることを特徴とする請求項１記載のサージアブソーバ取付装置。
【請求項４】
前記ケース本体に前記サージアブソーバと重ならない部分に電力量計に取付ける固定手段を設けることを特徴とする請求項１記載のサージアブソーバ取付装置。
【請求項５】
前記第２の接触子はケース本体に弾性的に上下動自在に設けたことを特徴とする請求項１記載のサージアブソーバ取付装置。
【請求項６】
前記サージアブソーバの前記第１の接触子間の間隔と電極間の間隔を同一にしたことを特徴とする請求項１記載のサージアブソーバ取付装置。
【発明の詳細な説明】
【技術分野】
【０００１】
本発明は電力量計の負荷側端子とサージアブソーバの接触子の間隔の異なる電力量計に取付ける際に用いるサージアブソーバ取付装置に関する。
【背景技術】
【０００２】
電力量計の取替工事等で、電力量計の負荷側端子から電線を取外した時、または接続したとき等にサージが発生することがあり、そのサージによりパソコン等の顧客が使用されている電気機器が誤動作したり破損することがある。そのために電力量計の負荷側端子から電線を取り外す時、または接続するときに電力量計の負荷側端子にサージアブソーバの接触子を接触させて、電力量計の負荷側端子から電線を取り外した時、または接続したときに発生するサージを吸収することが一般的に行われている。
【０００３】
図１２は従来のサージアブソーバを電力量計に取付けた状態を示した斜視図である。サージアブソーバ１には接触子２Ａ、２Ｂ、２Ｃおよび連結用螺子７が設けられている。電力量計の取替工事等で、電力量計の負荷側端子から電線を取り外しとき、または接続するとき端子板１１Ａにサージアブソーバ１を載置する。その後サージアブソーバ１の連結用螺子７の頭部７Ａを廻し、連結用螺子７の螺子部７Ｂを電力量計１０Ａの端子板１１Ａに設けられた螺子孔１２Ａに螺合する。それによりサージアブソーバ１は電力量計１０Ａの端子板１１Ａに取付けられる。
【０００４】
サージアブソーバ１は電力量計１０Ａの端子板１１Ａに取付けられると、サージアブソーバ１に設けた接触子２Ａ、２Ｂ、２Ｃはバネで上下自在に取り付けられているので、電力量計１０Ａの三相の負荷側端子１４ａ、１４ｂ、１４ｃに接触する。それによりサージアブソーバ１が動作し、電力量計の負荷側端子から電線を取り外しまたは接続したときに発生するサージを吸収し、機器に影響を与えないようにしている。
【特許文献１】特開平１０−４０７８６号公報
【発明の開示】
【発明が解決しようとする課題】
【０００５】
前述したように、電力量計の負荷側端子から電線を取外しまたは接続したときに発生するサージを防止するために、電力量計の負荷側端子にサージアブソーバを接続している。
【０００６】
図１３は前述のサージアブソーバが取付けられる。例えば、１２０Ａ用の電力量計１０Ａであり、図１４は例えば、３０Ａ用の電力量計１０Ｂである。このように使用されている電力量計１０Ａと電力量計１０Ｂの大きさが変わると、電力量計１０Ａの端子板１１Ａに取付けられた負荷側端子１４ａ、１４ｂ、１４ｃと電力量計１０Ｂの端子板１１Ｂに取付けられた負荷側端子１４ｄ、１４ｅ、１４ｆとの間隔が異なる。
【０００７】
そのため、もし接触子２Ａ、２Ｂ、２Ｃを電力量計１０Ａの負荷側端子１４ａ、１４ｂ、１４ｃに合わせて設けた場合には、電力量計１０Ｂの負荷側端子１４ｄ、１４ｅ、１４ｆには接触できないこととなる。そのため従来は電力量計の大きさ毎にサージアブソーバを作っていたので、複数のタイプのサージアブソーバが必要となり不経済であった。
【課題を解決するための手段】
【０００８】
本発明では、電力量計の負荷側端子の間隔とその間隔を異にする接触子を有するサージアブソーバを前記電力量計に取付けるものであって、前記サージアブソーバの対応する前記第１の接触子に接触するような間隔に配置された複数の電極と、前記電力量計の負荷側端子にそれぞれ接触するような間隔に配置された複数の第２の接触子と、前記各電極と前記第２の接触子とをそれぞれ電気的に接続する複数の接続手段と、前記サージアブソーバとケース本体を連結する連結手段とを備えたサージアブソーバ取付装置を提供する。本発明により異なる間隔の接触子を有するサージアブソーバをサージアブソーバ取付装置を用いて電力量計の負荷側端子に取り付けられる。
【０００９】
また、本発明では、前記複数の電極は前記本体ケースに形成された凹部内に配置され、前記凹部に前記サージアブソーバの前記第１の接触子が嵌合されるよう構成したサージアブソーバ取付装置を提供する。
【００１０】
本発明は前記連結手段にはサージアブソーバを単体で前記電力量計へ取付けるときの取付用螺子を用いるサージアブソーバ取付装置を提供する。
【００１１】
本発明は前記ケース本体に前記サージアブソーバと重ならない部分に電力量計に取付ける固定手段を設けるサージアブソーバ取付装置を提供する。
【００１２】
本発明は前記サージアブソーバの複数の接触子間の間隔と電極間の間隔を同一にしたサージアブソーバ取付装置を提供する。
【発明の効果】
【００１３】
本発明のサージアブソーバ取付装置によれば、アブソーバ取付装置を介して電力量計にサージアブソーバを取付けられるようにしたので、１つのサージアブソーバに間隔の異なる接触子を有するサージアブソーバ取付装置を組み合わせて負荷側端子の間隔が異なる電力量計にでも取付けることが可能となり、サージアブソーバ取付装置の開発のみで対応できて極めて経済的である。
【００１４】
また、本発明によれば、複数の電極は本体ケースに形成された凹部内に配置して、凹部にサージアブソーバの第１の接触子が嵌合されるように構成したことで、サージアブソーバ取付装置にサージアブソーバを取り付けるだけでサージアブソーバの第１の接触子と電極とを簡単に接続できる。
【００１５】
更に、本発明によれば、連結手段にはサージアブソーバを単体で前記電力量計へ取付けるときの取付用螺子を用いることで兼用ができる利点がある。
【００１６】
更に、本発明によれば、ケース本体にサージアブソーバと重ならない部分に電力量計に取付ける固定手段を設けることにより、ケース本体の第２の接触子と電力量計の負荷側端子との位置合わせが共にケース本体を基準にするので容易である。
【００１７】
更に、本発明では、第２の接触子はケース本体に弾性的に上下動自在に設けたので、サージアブソーバの第１の接触子と同様に電力量計の負荷側端子と良好な接触を実現できる。
【００１８】
更に、本発明では、サージアブソーバの第１の接触子間の間隔と電極間の間隔を同一にしたので、位置合わせは不要である。
【発明を実施するための最良の形態】
【００１９】
本発明の実施の形態を図１〜１１図に従って説明する。
【００２０】
図１および図２は本発明のサージアブソーバ取付装置に連結されるサージアブソーバ１の断面図および底面図である。
【００２１】
サージアブソーバ１は空間部３を有する本体１Ａと窓４、４、４を有する蓋体１Ｂよりなる。本体１Ａの底面からは第１の電力量計１０Ａの負荷側端子１４ａ、１４ｂ、１４ｃに対応して第１の接触子２Ａ、２Ｂ、２Ｃが突出されるように設けられている。
【００２２】
第１の接触子２Ａ、２Ｂ、２Ｃは下端に接触片２ａ、２ｂ、２ｃを有し、上部は止め部材６Ａ、６Ｂ、６Ｃにて取付円筒５Ａ、５Ｂ、５Ｃ中を上下動できるように設けられている。第１の接触子２Ａ、２Ｂ、２Ｃは取付円筒５Ａ、５Ｂ、５Ｃの上端を施蓋する螺子８Ａ、８Ｂ、８Ｃに一端が取付けられたバネ９Ａ、９Ｂ、９Ｃにて下方に付勢されている。
【００２３】
本体１Ａの上方には印刷基板１７が設けられている。印刷基板１７には蓋体１Ｂの窓４、４、４に面して発光ダイオード１５Ａ、１５Ｂ、１５Ｃが取付けられている他、抵抗、コンデンサ等の電子部品１６が取付けられている。
【００２４】
図２に示すように、サージアブソーバ１の本体１Ａの底面には電力量計１０Ａの凸状１３（図１２参照）に嵌合する溝２０が設けられている。この溝２０を電力量計１０Ａの周辺の負荷側端子１４ａ、１４ｂ、１４ｃを囲む土手部（図示せず）に当接して負荷側端子１４ａ、１４ｂ、１４ｃと第１の接触子２Ａ、２Ｂ、２Ｃとの位置合わせを行う。
【００２５】
図３はサージアブソーバ１の回路図で、前述したサージアブソーバ回路は印刷基板１７に組み込まれている。
【００２６】
接触片２ａと接触子２ｃ間には抵抗Ｒ４と抵抗Ｒ５を介してサージ吸収用のコンデンサＣ１、Ｃ２が接続されている。コンデンサＣ１には負荷抵抗Ｒ１、Ｒ１が接続され、コンデンサＣ２には負荷抵抗Ｒ２が接続されている。
【００２７】
さらに抵抗Ｒ４、Ｒ５間にはダイオードブリッジ回路ＤＢ１、ＤＢ２、ＤＢ３および抵抗Ｒ３、Ｒ３を介して発光ダイオード１５Ａ、１５Ｂ、１５Ｃが接続されている。
【００２８】
図４および図５は本発明のサージアブソーバ取付装置の斜視図および平面図である。図６は図５のＸ−Ｘ断面図、図７は図５のＹ−Ｙ断面図である。
【００２９】
サージアブソーブ取付装置２１の本体ケースは空間部２２を有する本体２１Ａと本体下面を施蓋する蓋体２１Ｂとよりなる。
【００３０】
サージアブソーバ取付装置２１の本体２１Ａの上部にはサージアブソーバ１の第１の接触子２Ａ、２Ｂ、２Ｃが挿入される凹部３３Ａ、３３Ｂ、３３Ｃおよび連結用螺子７の螺子部７Ｂが螺合する螺孔３４が開けられている。凹部３３Ａ、３３Ｂ、３３Ｃの下部には電極３３ａ、３３ｂ、３３ｃが設けられている。
【００３１】
図７に示すように、蓋体２１Ｂには図１３に示すように、第１の電力量計１０Ａの負荷側端子１４ａ、１４ｂ、１４ｃより間隔が狭い第２の電力量計１０Ｂの第２の負荷側端子１４ｄ、１４ｅ、１４ｆに対応する第２の接触子２８Ａ、２８Ｂ、２８Ｃが下方に突出して設けられている。第２の接触子２８Ａ、２８Ｂ、２８Ｃの上部は抜け止め２９Ａ、２９Ｂ、２９Ｃにて導電性の円筒３０Ａ、３０Ｂ、３０Ｃ中を上下可動自在にされている。さらに第２の接触子２８Ａ、２８Ｂ、２８Ｃの上端は円筒３０Ａ、３０Ｂ、３０Ｃの上端を施蓋する螺子３１Ａ、３１Ｂ、３１Ｃの一端が接触するバネ３２Ａ、３２Ｂ、３２Ｃにて下方に付勢されている。
【００３２】
凹部３３Ａ、３３Ｂ、３３Ｃの下部に設けた電極３３ａ、３３ｂ、３３ｃと螺子３１Ａ、３１Ｂ、３１Ｃとはケーブル３５Ａ、３５Ｂ、３５Ｃにて電気的に接続されている。従って螺子３１Ａ、３１Ｂ、３１Ｃと第２の接触子２８Ａ、２８Ｂ、２８Ｃとは電気的に接続されているので、サージアブソーバ１の第１の接触子２Ａ、２Ｂ、２Ｃとサージアブソーバ取付装置２１の第２の接触子２８Ａ、２８Ｂ、２８Ｃは電気的に接続されることとなる。またケース本体のサージアブソーバと重ならない部分に電力量計に取付ける固定用螺子２７が本体２１Ａと蓋体２１Ｂを貫通して取付けられている。
【００３３】
続いて、サージアブソーバ取付装置２１を用いないで、サージアブソーバ１を直接に電力量計に取り付ける場合について説明する。
【００３４】
図１３に示す１２０Ａ用の電力量計の取替等するときには、サージアブソーバ１の第１の接触子２Ａ、２Ｂ、２Ｃは第１の電力量計１０Ａの第１の負荷側端子１４ａ、１４ｂ、１４ｃに対応して設けられているので、第１の電力量計１０Ａにサージアブソーブ１を直接取付けることができる。
【００３５】
この場合は、図８および図１２に示すように、サージアブソーバ１の第１の接触子２Ａ、２Ｂ、２Ｃを第１の電力量計１０Ａの第１の負荷側端子１４ａ、１４ｂ、１４ｃに接合する。そして連結用螺子７でもって電力量計１０Ａの端子板１１Ａに設けた螺子孔１２に螺合させる。第１の接触子２Ａ、２Ｂ、２Ｃはバネ９Ａ、９Ｂ、９Ｃで下方に付勢されているため、接触子２Ａ、２Ｂ、２Ｃの先端に設けた接触片２ａ、２ｂ、２ｃは第１の電力量計１０Ａの第１の負荷側端子１４ａ、１４ｂ、１４ｃに強く接合される。
【００３６】
この状態で第１の電力量計１０Ａを取替え等するために、電力量計１０Ａの端子から電線を取り外す時にサージを発生する。
【００３７】
図３に示すように、電力量計１０Ａの端子から電線を取り外す時に発生されたサージは接触片２ａ、２ｃからサージアブソーバ回路に加わり、抵抗Ｒ４とコンデンサＣ１および抵抗Ｒ５とコンデンサＣ２で吸収される。コンデンサＣ１で吸収された電荷は抵抗Ｒ１、Ｒ１で放電され、コンデンサＣ２で吸収された電荷は抵抗Ｒ２で放電され、コンデンサＣ１、Ｃ２の電位を下げる。
【００３８】
接触子２Ａ、２Ｂ、２Ｃの先端に設けた接触片２ａ、２ｂ、２ｃが第１の電力量計１０Ａの第１の負荷側端子１４ａ、１４ｂ、１４ｃに接合されることにより、電力量計１０Ａの各相の交流電流がサージアブソーバ回路に加わり、ダイオードブリッジ回路ＤＢ１、ＤＢ３で直流に整流し、Ｒ導通表示用に発光ダイオード１５ＡおよびＴ導通表示用に発光ダイオード１５Ｃを点灯し、欠相がないことを表示する。
【００３９】
Ｓ相は中性線のため電位が発生しないので、そのままではＳ導通表示用に発光ダイオード１５Ｂは発光しない。そこで中性線（０Ｖ）に対して仮想中性線を作り、抵抗Ｒ１、Ｒ２、Ｒ３により回路バランスを崩し電位差を発生させて、Ｓ導通表示用に発光ダイオード１５Ｂを発光させている。もし中性線が欠相した場合は、仮想中性線との間に電位差が発生しないため、Ｓ導通表示用に発光ダイオード１５Ｂは発光しないため、中相の欠相が容易に確認できる。
【００４０】
次に、サージアブソーバ１をサージアブソーバ取付装置２１と連結して電力量計に取り付ける場合について説明する。
【００４１】
すなわち、図１４に示すように、３０Ａ用の第２の電力量計１０Ｂを交換するとき、サージアブソーバ１の第１の接触子２Ａ、２Ｂ、２Ｃは第２の電力量計１０Ｂの端子基板１１Ｂに設けられた第２の負荷側端子１４ｄ、１４ｅ、１４ｆに対応していないので、サージアブソーブ１を直接取付けることができない。そのためサージアブソーバ取付装置２１を介してサージアブソーバ１を第２の電力量計１０Ｂに取付る。
【００４２】
図９に示すように、サージアブソーバ１の第１の接触子２Ａ、２Ｂ、２Ｃをサージアブソーバ取付装置２１の凹部３３Ａ、３３Ｂ、３３Ｃに挿入し、接触片２ａ、２ｂ、２ｃを凹部３３Ａ、３３Ｂ、３３Ｃの下部に設けた電極３３ａ、３３ｂ、３３ｃ（図６参照）に接触させる。また連結用螺子７をサージアブソーバ取付装置２１の螺孔３４に螺合し、サージアブソーバ１とサージアブソーバ取付装置２１とを連結する。
【００４３】
次に図１０および図１１に示すように、連結されたサージアブソーバ１とサージアブソーバ取付装置２１を第２の電力量計１０Ｂの端子板１１Ｂに載置する。サージアブソーバ取付装置３４の第２の接触子２８Ａ、２８Ｂ、２８Ｃは第２の電力量計１０Ｂの端子基板１１Ｂに設けられた第２の負荷側端子１４ｄ、１４ｅ、１４ｆに対応して設けられ、且つバネ３０Ａ、３０Ｂ、３０Ｃで下方に付勢されている。そのためサージアブソーバ取付装置２１の第２の接触子２８Ａ、２８Ｂ、２８Ｃを第２１の電力量計１０Ｂの第２の負荷側端子１４ｄ、１４ｅ、１４ｆに接合する。そして固定用螺子２７でもって電力量計１０Ｂの端子板１１Ｂに設けた螺子孔（図示せず）に螺合させ、サージアブソーバ１とサージアブソーバ取付装置２１を第２の電力量計１０Ｂに固定する。
【００４４】
第１の接触子２Ａ、２Ｂ、２Ｃはバネ９Ａ、９Ｂ、９Ｃで下方に付勢されているため、接触子２Ａ、２Ｂ、２Ｃの先端に設けた接触片２ａ、２ｂ、２ｃは凹部３３Ａ、３３Ｂ、３３Ｃの下部にある電極３３ａ、３３ｂ、３３ｃに接合する。電極３３ａ、３３ｂ、３３ｃはケーブル３５Ａ、３５Ｂ、３５Ｃで第２の接触子２８Ａ、２８Ｂ、２８Ｃが設けられている円筒３０Ａ、３０Ｂ、３０Ｃに電気的に接続されている。
【００４５】
従ってサージアブソーバ１の第１の接触子２Ａ、２Ｂ、２Ｃは第２の電力量計１０Ｂの端子基板１１Ｂに設けられた第２の負荷側端子１４ｄ、１４ｅ、１４ｆに電気的に接続される。
【００４６】
この状態で第２の電力量計１０Ｂを取替え等するために、電力量計１０Ｂの端子から電線を取り外す時にサージを発生する。
【００４７】
電力量計１０Ｂの負荷側端子にはサージアブソーバ１が接続されているので、電力量計１０Ｂの端子から電線を取り外す時に発生されたサージはサージアブソーバ回路で吸収される。
【図面の簡単な説明】
【００４８】
【図１】本発明のサージアブソーバ取付装置に使用したサージアブソーバの断面図である。
【図２】本発明のサージアブソーバ取付装置に使用したサージアブソーバの底面図である。
【図３】本発明のサージアブソーバ取付装置に使用したサージアブソーバの回路図である。
【図４】本発明のサージアブソーバ取付装置の斜面図である。
【図５】本発明のサージアブソーバ取付装置の底面図である。
【図６】図５のＸーＸ断面図である。
【図７】図５のＹ−Ｙ断面図である。
【図８】本発明および従来のサージアブソーバを電力量計に取付けた状態を示す断面図である。
【図９】本発明のサージアブソーバとサージアブソーバを取付ける状態を示した斜視図である。
【図１０】本発明のサージアブソーバ取付装置を用いてサージアブソーバを電力量計に取付けた状態を示した断面図である。
【図１１】本発明のサージアブソーバ取付装置を用いてサージアブソーバを電力量計に取付けた状態を示した斜視図である。
【図１２】一般に用いられるサージアブソーバを電力量計に取付けた状態を示す斜視図である。
【図１３】一般に用いられている電力量計の平面図である。
【図１４】一般に用いられている電力量計の平面図である。
【符号の説明】
【００４９】
１                                  サージアブソーバ
２Ａ、２Ｂ、２Ｃ                    第１の接触子
７                                  連結用螺子
１０Ａ                              第１の電力量計
１０Ｂ                              第２の電力量計
１１Ａ、１１Ｂ                      端子板
１４ａ、１４ｂ、１４ｃ              第１の負荷側端子
１４ｄ、１４ｅ、１４ｆ              第２の負荷側端子
２１                                サージアブソーバ取付装置
２８Ａ、２８Ｂ、２８Ｃ              第２の接触子
３３Ａ、３３Ｂ、３３Ｃ              凹部
３３ａ、３３ｂ、３３ｃ              電極
【図１】
2005346935.tif 000003
【図２】
2005346935.tif 000004
【図３】
2005346935.tif 000005
【図４】
2005346935.tif 000006
【図５】
2005346935.tif 000007
【図６】
2005346935.tif 000008
【図７】
2005346935.tif 000009
【図８】
2005346935.tif 000010
【図９】
2005346935.tif 000011
【図１０】
2005346935.tif 000012
【図１１】
2005346935.tif 000013
【図１２】
2005346935.tif 000014
【図１３】
2005346935.tif 000015
【図１４】
2005346935.tif 000016
【手続補正書】
【提出日】平成16年7月27日(2004.7.27)
【手続補正１】
【補正対象書類名】明細書
【補正対象項目名】０００１
【補正方法】変更
【補正の内容】
【０００１】
本発明は電力量計の負荷側端子と間隔の異なる接触子を有するサージアブソーバを電力量計に取付ける際に用いるサージアブソーバ取付装置に関する。
【手続補正２】
【補正対象書類名】明細書
【補正対象項目名】０００２
【補正方法】変更
【補正の内容】
【０００２】
電力量計の取替工事等で、電力量計の電源側端子から電線を取外した時、または接続したとき等にサージが発生することがあり、そのサージによりパソコン等の顧客が使用されている電気機器が誤動作したり破損することがある。そのために電力量計の電源側端子から電線を取り外す時、または接続するときに電力量計の負荷側端子にサージアブソーバの接触子を接触させて、電力量計の電源側端子から電線を取り外した時、または接続したときに発生するサージを吸収することが一般的に行われている。
【手続補正３】
【補正対象書類名】明細書
【補正対象項目名】０００３
【補正方法】変更
【補正の内容】
【０００３】
図１２は従来のサージアブソーバを電力量計に取付けた状態を示した斜視図である。サージアブソーバ１には接触子２Ａ、２Ｂ、２Ｃおよび連結用螺子７が設けられている。電力量計の取替工事等で、電力量計の電源側端子から電線を取り外しとき、または接続するとき端子板１１Ａにサージアブソーバ１を載置する。その後サージアブソーバ１の連結用螺子７の頭部７Ａを廻し、連結用螺子７の螺子部７Ｂを電力量計１０Ａの端子板１１Ａに設けられた螺子孔１２Ａに螺合する。それによりサージアブソーバ１は電力量計１０Ａの端子板１１Ａに取付けられる。
【手続補正４】
【補正対象書類名】明細書
【補正対象項目名】０００４
【補正方法】変更
【補正の内容】
【０００４】
サージアブソーバ１は電力量計１０Ａの端子板１１Ａに取付けられると、サージアブソーバ１に設けた接触子２Ａ、２Ｂ、２Ｃはバネで上下自在に取り付けられているので、電力量計１０Ａの複数の負荷側端子１４ａ、１４ｂ、１４ｃに接触する。それによりサージアブソーバ１が動作し、電力量計の電源側端子から電線を取り外しまたは接続したときに発生するサージを吸収し、機器に影響を与えないようにしている。
【特許文献１】特開平１０−４０７８６号公報
【手続補正５】
【補正対象書類名】明細書
【補正対象項目名】０００５
【補正方法】変更
【補正の内容】
【０００５】
前述したように、電力量計の電源側端子から電線を取外しまたは接続したときに発生するサージを防止するために、電力量計の負荷側端子にサージアブソーバを接続している。
【手続補正６】
【補正対象書類名】明細書
【補正対象項目名】００１３
【補正方法】変更
【補正の内容】
【００１３】
本発明のサージアブソーバ取付装置によれば、サージアブソーバ取付装置を介して電力量計にサージアブソーバを取付けられるようにしたので、１つのサージアブソーバに間隔の異なる接触子を有するサージアブソーバ取付装置を組み合わせて負荷側端子の間隔が異なる電力量計にでも取付けることが可能となり、サージアブソーバ取付装置の開発のみで対応できて極めて経済的である。
【手続補正７】
【補正対象書類名】明細書
【補正対象項目名】００４３
【補正方法】変更
【補正の内容】
【００４３】
次に図１０および図１１に示すように、連結されたサージアブソーバ１とサージアブソーバ取付装置２１を第２の電力量計１０Ｂの端子板１１Ｂに載置する。サージアブソーバ取付装置２１の第２の接触子２８Ａ、２８Ｂ、２８Ｃは第２の電力量計１０Ｂの端子基板１１Ｂに設けられた第２の負荷側端子１４ｄ、１４ｅ、１４ｆに対応して設けられ、且つバネ３２Ａ、３２Ｂ、３２Ｃで下方に付勢されている。そのためサージアブソーバ取付装置２１の第２の接触子２８Ａ、２８Ｂ、２８Ｃを第２の電力量計１０Ｂの第２の負荷側端子１４ｄ、１４ｅ、１４ｆに接合する。そして固定用螺子２７でもって電力量計１０Ｂの端子板１１Ｂに設けた螺子孔（図示せず）に螺合させ、サージアブソーバ１とサージアブソーバ取付装置２１を第２の電力量計１０Ｂに固定する。
【手続補正８】
【補正対象書類名】明細書
【補正対象項目名】００４８
【補正方法】変更
【補正の内容】
【００４８】
【図１】本発明のサージアブソーバ取付装置に使用したサージアブソーバの断面図である。
【図２】本発明のサージアブソーバ取付装置に使用したサージアブソーバの底面図である。
【図３】本発明のサージアブソーバ取付装置に使用したサージアブソーバの回路図である。
【図４】本発明のサージアブソーバ取付装置の斜面図である。
【図５】本発明のサージアブソーバ取付装置の平面図である。
【図６】図５のＸーＸ断面図である。
【図７】図５のＹ−Ｙ断面図である。
【図８】本発明および従来のサージアブソーバを電力量計に取付けた状態を示す断面図である。
【図９】本発明のサージアブソーバとサージアブソーバを取付ける状態を示した斜視図である。
【図１０】本発明のサージアブソーバ取付装置を用いてサージアブソーバを電力量計に取付けた状態を示した断面図である。
【図１１】本発明のサージアブソーバ取付装置を用いてサージアブソーバを電力量計に取付けた状態を示した斜視図である。
【図１２】一般に用いられるサージアブソーバを電力量計に取付けた状態を示す斜視図である。
【図１３】一般に用いられている電力量計の平面図である。
【図１４】一般に用いられている電力量計の平面図である。
【手続補正９】
【補正対象書類名】図面
【補正対象項目名】図１
【補正方法】変更
【補正の内容】
【図１】
2005346935.tif 000017
【手続補正１０】
【補正対象書類名】図面
【補正対象項目名】図５
【補正方法】変更
【補正の内容】
【図５】
2005346935.tif 000018
【手続補正１１】
【補正対象書類名】図面
【補正対象項目名】図１０
【補正方法】変更
【補正の内容】
【図１０】
2005346935.tif 000019
【手続補正１２】
【補正対象書類名】図面
【補正対象項目名】図１１
【補正方法】変更
【補正の内容】
【図１１】
2005346935.tif 000020